(57)【要約】【課題】通気部材の長手方向の端部に向かって横走りした雨水を排水可能とする通気部材のエンドキャップ及びこれを備えた外壁構造を提供する。【解決手段】本発明に係る一態様のエンドキャップ５は、外壁２の上方に配置される長尺の通気部材３に取り付けられる。エンドキャップ５は、通気部材３の長手方向の端部に接続される接続部６１と、接続部６１から通気部材３とは反対の方向に延出し、貯水可能な貯水部７とを備える。貯水部７は、屋外側に排水可能な排水孔７６を有する。【選択図】図１
2018188802.tif 000002
【特許請求の範囲】
【請求項１】
外壁の上方に配置される長尺の通気部材のエンドキャップであって、
前記通気部材の長手方向の端部に接続される接続部と、
前記接続部から前記通気部材とは反対の方向に延出し、貯水可能な貯水部と
を備え、
前記貯水部は、屋外側に排水可能な排水孔を有している
ことを特徴とする通気部材のエンドキャップ。
【請求項２】
前記接続部は前記通気部材の屋外側の面に重なる外側部を有し、
前記外側部は、水抜き孔を有する
ことを特徴とする請求項１記載の通気部材のエンドキャップ。
【請求項３】
前記接続部は、前記通気部材に設けられた小屋裏側開口を覆う覆い片を有している
ことを特徴とする請求項１または請求項２記載の通気部材のエンドキャップ。
【請求項４】
前記貯水部の下方に、壁下地に固定される固定片をさらに備え、
前記固定片には、固着具挿通孔が形成されており、
前記排水孔と前記固着具挿通孔とは前記長手方向にずれている
ことを特徴とする請求項１〜３のいずれか一項に記載の通気部材のエンドキャップ。
【請求項５】
前記固着具挿通孔は、前記長手方向において、前記排水孔よりも前記通気部材側に設けられている
ことを特徴とする請求項４記載の通気部材のエンドキャップ。
【請求項６】
外壁の上方に取り付けられた長尺の通気部材と、
前記通気部材の長手方向の端部に取り付けられたエンドキャップと
を備えた外壁構造であって、
前記エンドキャップは、
前記通気部材の長手方向の端部に接続される接続部と、
前記接続部から前記通気部材とは反対の方向に延出し、貯水可能な貯水部と
を備え、
前記貯水部は、屋外側に排水可能な排水孔を有している
ことを特徴とする外壁構造。
【発明の詳細な説明】
【技術分野】
【０００１】
本発明は、通気部材のエンドキャップ及び外壁構造に関する。
【背景技術】
【０００２】
外壁の上方に通気部材が取り付けられた外壁構造が知られている。この通気部材は、外壁の上端部に沿って延びており、外壁の内側の通気層と屋外空間との間で通気させることができる。
【０００３】
施工時において、通気部材は、建築現場の実寸法に合わせて、長手方向の任意の位置で切断されるため、長手方向の端部が切断面となる。このため、通気部材の長手方向の端部には、エンドキャップが取り付けられる（例えば、特許文献１参照）。
【０００４】
エンドキャップは、通気部材の長手方向の端部を覆う部材である。エンドキャップは、例えば、板状の閉塞部と、閉塞部を通気部材の長手方向の端部に固定する嵌合部とを備える。
【先行技術文献】
【特許文献】
【０００５】
【特許文献１】特開２０１０−１７３２号公報
【発明の概要】
【発明が解決しようとする課題】
【０００６】
ところで、通気部材の屋外側の側面と底面とでなすコーナー部分には、通気部材の長手方向に一定の間隔をおいて形成された複数の排水孔が形成される。複数の排水孔のピッチは、長過ぎると排水性に影響するが、短過ぎると防水性に影響を与えるため、ある程度のピッチで形成されている。
【０００７】
一方、施工時において、通気部材の設置予定箇所の長さに応じて長尺の通気部材を切断することがある。そして、その切断箇所によっては、切断部である通気部材の長手方向の端部から排水孔までの寸法が長くなることがある。
【０００８】
この場合、通気部材の長手方向の端部の近傍に排水孔が位置しないため、通気部材の内部に入り込んだ雨水が、長手方向の端部に向かって横走りすると、通気部材の長手方向の端部に溜まり、排水されないという問題がある。
【０００９】
本発明は、上記事情に鑑みてなされたものであり、その目的とするところは、通気部材の端部に向かって横走りした雨水を排水可能とする通気部材のエンドキャップ及びこれを備えた外壁構造を提供することにある。
【課題を解決するための手段】
【００１０】
本発明に係る一態様の通気部材のエンドキャップは、外壁の上方に配置される長尺の通気部材のエンドキャップであって、前記通気部材の長手方向の端部に接続される接続部と、前記接続部から前記通気部材とは反対の方向に延出し、貯水可能な貯水部とを備え、前記貯水部は、屋外側に排水可能な排水孔を有していることを特徴とする。
【００１１】
本発明に係る一態様の外壁構造は、外壁の上方に取り付けられた長尺の通気部材と、前記通気部材の長手方向の端部に取り付けられたエンドキャップとを備えた外壁構造であって、前記エンドキャップは、前記通気部材の長手方向の端部に接続される接続部と、前記接続部から前記通気部材とは反対の方向に延出し、貯水可能な貯水部とを備え、前記貯水部は、屋外側に排水可能な排水孔を有していることを特徴とする。
【発明の効果】
【００１２】
本発明の通気部材のエンドキャップ及び外壁構造によれば、通気部材にエンドキャップが取り付けられた状態では、通気部材の長手方向の端部の近傍に排水孔が設けられるため、通気部材の長手方向の端部に向かって横走りした雨水を屋外に排水することができる。
【図面の簡単な説明】
【００１３】
【図１】図１は、本発明の一実施形態の外壁構造の断面図である。
【図２】図２は、同上の通気部材の断面斜視図である。
【図３】図３は、同上のエンドキャップの斜視図である。
【図４】図４は、同上のエンドキャップの正面図である。
【図５】図５Ａは、同上の通気部材にエンドキャップを装着する直前の斜視図である。図５Ｂは、同上の通気部材にエンドキャップを装着した状態の斜視図である。
【発明を実施するための形態】
【００１４】
以下、本発明の一実施形態について添付図面に基づいて説明する。
【００１５】
本実施形態の外壁構造は、図１に示すように、住宅家屋に適用される。住宅家屋は、屋根１０と、小屋裏１１と、外壁２と、外壁２の上方に設けられた通気部材３と、通気部材３に取り付けられるエンドキャップ５（図３）とを備えている。
【００１６】
小屋裏１１は、屋根１０の下方の空間であり、例えば、天井板１１１と野地板１１２との間の空間により構成される。なお、図中、符号１１３は桁（または母屋），符号１１４は垂木，符号１１５は鼻隠し下地，符号１１６は鼻隠しを示す。また、図示しないが、野地板１１２上には、下葺材が敷設されている。
【００１７】
外壁２は、住宅家屋において、居住空間と屋外空間とを仕切る壁である。本実施形態の外壁２は、壁下地２１と、複数の縦胴縁２５と、壁下地２１の屋外側に配置された外壁材２２と、外壁材２２と壁下地２１との間に形成された通気層２３とを備えている。通気層２３は、外壁２内に形成されている。
【００１８】
壁下地２１は、外壁材２２の下地となる部分である。壁下地２１は、複数の柱２６（または、小屋束）と、複数の柱２６間にわたって設置された透湿防水シート２４とを備えている。透湿防水シート２４の屋外側には、複数の縦胴縁２５が取り付けられている。複数の縦胴縁２５は、水平方向に一定の間隔をおいて配置されている。
【００１９】
外壁材２２は、複数の縦胴縁２５を介して壁下地２１に取り付けられている。外壁材２２は、パネル状の外壁材２２であり、例えば、窯業系サイディング材や、金属サイディング材などにより構成される。本実施形態の外壁材２２は、横張り用の外壁材２２であるが、縦張り用の外壁材２２により構成されてもよい。なお、外壁材２２を縦張りする場合には、例えば、横胴縁を介して壁下地２１に取り付けられる。
【００２０】
外壁材２２と壁下地２１との間には、通気層２３が形成されている。通気層２３は、外壁２の下方から空気を取り込む。通気層２３に取り込まれた空気は、通気層２３を上昇し、その後、通気部材３を介して、屋外空間又は小屋裏１１に流れ込む。この通気層２３を通過する空気により、通気層２３が換気され、外壁材２２の裏面や壁下地２１の表面（透湿防水シート２４の表面）に生じる結露が抑制される。また、外壁材２２と壁下地２１との間に通気層２３が設けられていることで、外壁２の断熱効果を向上させることができる。
【００２１】
また、外壁材２２を縦張りする場合、横胴縁（図示せず）により壁下地２１と外壁材２２との間に隙間が形成され、これにより通気層が形成される。横胴縁は、水平方向に延びているが、水平方向に隣り合う横胴縁同士の間に通気用の隙間が形成される。また、通気層２３は、外壁材２２を壁下地２１に取り付ける取付金具によって形成されてもよい。
【００２２】
なお、外壁２の下方から空気を取り込むための構造については、周知のスタータ金具を用いて実現されているため、説明を省略する。
【００２３】
通気部材３は、少なくとも、通気層２３と屋外空間との間で通気を行うための部材であり、本実施形態では、通気層２３と小屋裏１１と屋外空間とで通気を行うことができるように構成される。本実施形態の通気部材３は、通気見切材であり、住宅家屋の外壁２の上方に取り付けられる。本実施形態の通気部材３は、平入側の外壁２及び妻側の外壁２に対応する位置に取り付けられるが、以下においては、平入側の外壁２について説明する。
【００２４】
通気部材３は、外壁材２２の上端に沿って延びて長尺に形成されており、外壁２の上端部の略全長にわたって取り付けられる。通気部材３は、図２に示すように、屋外側開口３３，通気層側開口３４および小屋裏側開口３５２を有する本体部３１と、本体部３１を外壁２に固定する取付部４０とを備えている。本体部３１と取付部４０とは板金加工により一体に成形されている。
【００２５】
本体部３１は、通気部材３の主体を構成する部分である。本体部３１の内部には、屋外側開口３３，通気層側開口３４および小屋裏側開口３５２に相互に連通する通気路３２を有している。本体部３１は、天板部３５と、一対の側板部３６，３７と、底板部３８とで箱状に形成されている。屋外側の側板部３６（屋外側側板部３６という）は、屋外側縦片部３６１と、屋外側横片部３６２と、屋外側側面部３６３とで構成されている。また、屋内側の側板部３７（屋内側側板部３７という）は、屋内側側面部３７１と、屋内側横片部３７２と、縦板部３７３とで構成されている。また、本体部３１は、内部を仕切る縦片部３７４を備えている。
【００２６】
天板部３５は、本体部３１の上面を構成する部分であり、本実施形態の天板部３５は、小屋裏側開口３５２と天板３５１とを備えている。天板部３５は、水平面に沿って延びており、天板３５１と小屋裏側開口３５２とが同一平面上に位置して構成されている。
【００２７】
屋外側縦片部３６１は、天板３５１の屋外側の端部から下方に延出している。屋外側縦片部３６１は、鉛直面に沿って形成されている。屋外側縦片部３６１の上下方向の中間部分には、屋内側に延出する屋外側横片部３６２が形成されている。
【００２８】
屋外側横片部３６２は、天板３５１の下方に隙間を介して位置している。屋外側横片部３６２の屋内側の端部には、下方に延出する屋外側側面部３６３が形成されている。屋外側開口３３は、屋外側横片部３６２と屋外側側面部３６３とに跨って形成されており、通気部材３の長手方向に一定のピッチで複数並設されている。屋外側側面部３６３の下端部には、屋内側に延出する底板部３８が形成されている。
【００２９】
底板部３８は、本体部３１の底面を構成する部分であり、天板部３５の下方に対向して配置されている。底板部３８は、屋外側側面部３６３に略直交しているが、詳しくは、屋外側側面部３６３に向かってやや下り傾斜している。屋外側側面部３６３と底板部３８とでなすコーナー部分には、複数の本体排水孔３９が形成されている。本体排水孔３９は、底板部３８に付着した雨水を排出することができる。複数の本体排水孔３９は、通気部材３の長手方向に所定のピッチで形成されている。この複数の本体排水孔３９のピッチは、屋外側開口３３のピッチよりも大きく形成されており、具体的に１００〜２００ｍｍであることが好ましい。複数の本体排水孔３９のピッチが大き過ぎると、排水性が低下するが、複数の本体排水孔３９のピッチが小さ過ぎると、本体排水孔３９から本体部３１の内部に浸入する雨水の量が増大して防水性に影響するため、適切なピッチ（これを所定のピッチとする）で形成される。
【００３０】
底板部３８の屋内側の端部には、上方に延出する屋内側側面部３７１が形成されている。
【００３１】
屋内側側面部３７１は、通気部材３の屋内側の面の大部分を構成する部分である。屋内側側面部３７１は、鉛直面に沿って延びており、通気部材３が外壁２の上方に設置されると、縦胴縁２５に当たって接する。屋内側側面部３７１の上端には、屋内側に延出する屋内側横片部３７２が形成されている。
【００３２】
屋内側横片部３７２は、天板３５１の下方に隙間を介して位置しており、水平面に沿って延びている。屋内側横片部３７２には、複数の通気層側開口３４が形成されている。通気層側開口３４は、通気部材３の長手方向に沿って一定のピッチで複数形成されている。通気層側開口３４は、天板３５１の屋内側の端部よりも屋内側に位置している。屋内側横片部３７２の屋内側の端部には、上方に延出する縦板部３７３が形成されている。
【００３３】
縦板部３７３は、鉛直面に沿って形成されており、屋内側横片部３７２に直交している。縦板部３７３は、通気層側開口３４に近接して配置されている。縦板部３７３の上端部は、屋外側において下方へ折り返されており、いわゆるヘミング曲げがなされている。縦板部３７３は、通気部材３が外壁２の上方に設置されると、図１に示すように、屋外側の面が通気層２３の厚み方向の中程に位置するように構成されている。これにより、万が一、屋外側開口３３から雨水が吹き込み、縦板部３７３に雨水が付着しても、縦板部３７３から落下する雨水が、壁下地２１及び外壁２の裏面に付着しにくくできる。
【００３４】
縦板部３７３の上端部は、図２に示すように、天板３５１の屋内側の端部との間で小屋裏側開口３５２を形成する。小屋裏側開口３５２は小屋裏１１に向かって開口する。小屋裏側開口３５２は、主に、屋外側開口３３との間で通気を行うが、通気層側開口３４との間でも通気可能である。小屋裏側開口３５２は、通気部材３の長手方向の全長にわたって連続して形成されている。
【００３５】
また、天板部３５において、屋内外方向の中間部分には、下方に延出する縦片部３７４が形成されている。縦片部３７４は、鉛直面に沿って延びて板状に形成されており、縦片部３７４の下端は、底板部３８との間に隙間を介して位置している。また、縦片部３７４は、屋内側側面部３７１の屋外側に隙間を介して配置されており、具体的には、屋内側側面部３７１に対して平行に延びている。
【００３６】
このような構成の本体部３１において、屋外側開口３３は、屋外側側板部３６の下端部よりも上方に形成されており、本体排水孔３９よりも上方に形成されている。なお、ここで言う屋外側側板部３６の下端部とは、縦片部３７４に対向しない部分であり、屋外側側板部３６において正面視で縦片部３７４と底板部３８との間の隙間に重なる部分を言う。
【００３７】
取付部４０は、屋内側側面部３７１の下端部から下方に延出している。取付部４０は、図１に示すように、縦胴縁２５を介して壁下地２１にねじ留め等されて固定される。
【００３８】
なお、図１に示すように、取付部４０が壁下地２１に固定された状態において、底板部３８の下方において外壁材２２が壁下地２１に取り付けられる。この後、外壁材２２と底板部３８との間にシーリング４１が配設される。
【００３９】
このような構成の通気部材３の長手方向の端部には、エンドキャップ５が取り付けられる。エンドキャップ５は、通気部材３の長手方向の端部を覆うように構成される。エンドキャップ５は、図３に示すように、接続部６１と、貯水部７とを備えている。
【００４０】
接続部６１は、通気部材３の長手方向の端部に接続される部分である。本実施形態の接続部６１は、通気部材３の長手方向の端面が当接する当接部７７よりも通気部材３側に形成された部分により構成される。本実施形態の接続部６１は、貯水部７に対して一体に形成されており、貯水部７と接続部６１との間の境界は外観上現れないが、通気部材３の長手方向の端部に接続部６１が接続された状態において、通気部材３に重なる部分である。接続部６１は、底部６２と、外側部６３と、天面部６４と、覆い片６５とを備えており、屋内側及び通気部材３側に開放している。
【００４１】
底部６２は、接続部６１の底面を構成する部分であり、縦断面において略水平に形成されている。底部６２は、接続部６１が通気部材３の長手方向の端部に接続されると、通気部材３の底板部３８に対して下方に重なる（図５Ｂ）。底部６２の屋外側の端部には、上方に延出する外側部６３が形成されている。
【００４２】
外側部６３は、接続部６１の屋外側の面を構成する部分である。外側部６３は、接続部６１が通気部材３の長手方向の端部に接続されると、通気部材３の屋外側側板部３６に対して屋外側に重なる（図５Ｂ）。外側部６３は、図３に示すように、下側縦板部６３１と、横板部６３２と、上側縦板部６３３とで構成されている。
【００４３】
下側縦板部６３１は、底部６２の屋外側の端部から立ち上げられている。下側縦板部６３１は、接続部６１が通気部材３の長手方向の端部に取り付けられると、通気部材３の屋外側側板部３６のうちの下側の部分に対して屋外側に重なる（図５Ｂ）。下側縦板部６３１の上端部には、図３に示すように、屋外側に延出する横板部６３２が形成されている。
【００４４】
横板部６３２は、縦断面において略水平に形成されており、底部６２に平行に形成されている。横板部６３２は、接続部６１が通気部材３の長手方向の端部に取り付けられると、屋外側縦片部３６１の下方に位置する（図５Ｂ）。横板部６３２の屋外側の端部には、上方に延出する上側縦板部６３３が形成されている。
【００４５】
上側縦板部６３３は、鉛直面に沿って形成されており、下側縦板部６３１に平行に形成されている。上側縦板部６３３は、接続部６１が通気部材３の長手方向の端部に取り付けられると、通気部材３の屋外側縦片部３６１に対して屋外側に重なる（図５Ｂ）。上側縦板部６３３の上端部には、屋内側に延出する天面部６４が形成されている。
【００４６】
天面部６４は、縦断面において略水平に形成されており、底部６２に平行に形成されている。天面部６４は、接続部６１が通気部材３の長手方向の端部に取り付けられると、天板部３５のうちの天板３５１に対して上方に重なる（図５Ｂ）。天面部６４の屋内側の端部には、屋内側に延出する覆い片６５が形成されている。
【００４７】
覆い片６５は、縦断面において略水平に形成されており、天面部６４に平行に形成されている。覆い片６５と天面部６４とは一体に形成されており、覆い片６５と天面部６４との境界は、外観上現れない。覆い片６５は、接続部６１が通気部材３の長手方向の端部に取り付けられると、通気部材３の小屋裏側開口３５２を上方から覆う（図５Ｂ）。
【００４８】
接続部６１は、下側縦板部６３１と底部６２とに跨って形成された水抜き孔６６を有している。この水抜き孔６６は、外側部６３と通気部材３の屋外側側板部３６とが重なった部分に浸入した雨水を外部に排出することができる。なお、水抜き孔６６は、少なくとも下側縦板部６３１に設けられていればよく、底部６２にまで連続していなくてもよい。
【００４９】
貯水部７は、接続部６１から、通気部材３とは反対の方向に延出している。貯水部７は、通気部材３の長手方向の端部から流出した雨水を受け、貯水することができる。貯水部７は、貯水部側底部７１と、貯水部側外側部７２と、貯水部側天面部７３と、貯水部側内側部７４と、端面部７５とを備えている。貯水部側外側部７２は、貯水部側下縦板部７２１と、貯水部側横板部７２２と、貯水部側上縦板部７２３とで構成されている。
【００５０】
貯水部側底部７１は、接続部６１の底部６２の貯水部７側の端部から、通気部材３の長手方向に平行に延びている。貯水部側底部７１の屋外側の端部には、上方に立ち上げられた貯水部側下縦板部７２１が形成されている。
【００５１】
貯水部側下縦板部７２１は、接続部６１の下側縦板部６３１の貯水部７側の端部から、通気部材３の長手方向に平行に延びている。貯水部側下縦板部７２１の上端部には、屋外側に延出する貯水部側横板部７２２が形成されている。
【００５２】
貯水部側横板部７２２は、接続部６１の横板部６３２の貯水部７側の端部から、通気部材３の長手方向に平行に延びている。貯水部側横板部７２２の屋外側の端部には、上方に延出する貯水部側上縦板部７２３が形成されている。
【００５３】
貯水部側上縦板部７２３は、接続部６１の上側縦板部６３３の貯水部７側の端部から、通気部材３の長手方向に平行に延びている。貯水部側下縦板部７２１の上端部には、屋内側に延出する貯水部側天面部７３が形成されている。
【００５４】
貯水部側天面部７３は、接続部６１の天面部６４の貯水部７側の端部から、通気部材３の長手方向に平行に延びている。貯水部側天面部７３の屋内側の端部には、下方に延出する貯水部側内側部７４が形成されている。
【００５５】
貯水部側内側部７４は、鉛直面に沿っており、貯水部側上縦板部７２３に平行である。貯水部側内側部７４の下端部は、貯水部側底部７１に接続されている。貯水部側内側部７４，貯水部側底部７１，貯水部側外側部７２及び貯水部側天面部７３において、通気部材３の長手方向のうちの貯水部７側の端部には、端面部７５が形成されている。
【００５６】
端面部７５は、貯水部側内側部７４，貯水部側底部７１，貯水部側外側部７２及び貯水部側天面部７３により形成された開口端部を塞ぐように構成されている。端面部７５は、通気部材３の長手方向に直交する。従って、貯水部７は、貯水部側内側部７４，貯水部側底部７１，貯水部側外側部７２，貯水部側天面部７３及び端面部７５によって、接続部６１側に開口した箱状に形成されている。
【００５７】
貯水部７は、１つの排水孔７６を有している。排水孔７６は、外壁２の上方に通気部材３及びエンドキャップ５が設置された状態において、貯水部７により受けられた雨水を外壁面側に排水することができる。排水孔７６は、貯水部側下縦板部７２１と貯水部側底部７１とに跨って形成されている。また、本実施形態の排水孔７６は、貯水部７において、端面部７５から１０〜１５ｍｍの位置に形成されている。つまり、排水孔７６は、貯水部７において端面部７５側の端部に形成されている。これにより、排水孔７６は、貯水部７の端面部７５近傍に形成されている。
【００５８】
また、エンドキャップ５は、壁下地２１に固定される固定片８をさらに備えている。固定片８は、接続部６１の底部６２及び貯水部７の貯水部側底部７１から下方に延出しており、接続部６１及び貯水部７の下方に設けられている。固定片８には、複数の固着具挿通孔８１が設けられている。
【００５９】
固着具挿通孔８１は、釘やビス等の固着具が挿通されるように構成されており、固定片８を壁下地２１に固定する際に用いられる。固着具挿通孔８１は、図４に示すように、排水孔７６に対して、通気部材３の長手方向にずれており、より詳しくは、通気部材３の長手方向において、排水孔７６よりも通気部材３側（端部面７５の反対側）に設けられている。
【００６０】
このような構成のエンドキャップ５は、図５Ａ，５Ｂに示すように、通気部材３の長手方向の端部が接続部６１に挿入されると、通気部材３の長手方向の端面が貯水部側内側部７４の通気部材３側の端面に当たる（この端面を当接部７７という）。この当接部７７は、通気部材３に対してエンドキャップ５が所定の位置に接続されたことの位置決めとして機能する。当接部７７には、通気部材３の本体部３１のうち、底板部３８と天板３５１が当接する。
【００６１】
当接部７７に対し、通気部材３の長手方向の端面が当たった状態で、固定片８の固着具挿通孔８１に固着具が差し込まれ、エンドキャップ５が壁下地２１に固定される。また、このとき、通気部材３も壁下地２１に固定される。この後、外壁材２２が設置されることで、通気部材３及びエンドキャップ５が外壁材２２の上方に配置され、これにより、外壁２が構成される。
【００６２】
〔応用〕
貯水部７の縦断面の形状は、箱状であればよく、上記実施形態の形状に特に限定されない。
【００６３】
上記実施形態では、建物の平入側の外壁構造について説明したが、妻側にも同じように適用される。妻側に設置される通気部材３は、その長手方向が屋根勾配方向に平行に設置される。従って、通気部材３の内部を横走りする雨水の量が平入側よりも多くなるため、エンドキャップ５により行う排水の必要性がより増大する。
【００６４】
より詳しくは、例えば通気部材３の端部を面状のエンドキャップで塞いでおり、且つ、排水孔３９がこのエンドキャップから比較的遠い箇所に形成されている場合、雨水は、傾斜する通気部材３に沿ってエンドキャップ側に流れて排水孔３９から排出されることなく滞留する。すると、滞留した水は、通気部材３の通気層側開口３４から通気層２３に流れ出す虞がある。これに対し、上記実施形態のように、エンドキャップ５には、箱状であって排水孔７６が形成されている貯水部７が設けられている。これにより、或る程度の水を貯めつつ、排水孔７６を通じて所定量に達した水を屋外側に排水するため、通気層側開口３４側に水が流れ出るのを防止することができる。
【００６５】
上記実施形態において貯水部７に形成された排水孔７６から流れる雨水は、外壁面に伝って流れるが、貯水部７を外壁面よりも屋外側に突出させ、排水孔７６から流れる雨水を外壁面から離れるようにして落下させてもよい。
【００６６】
その他、上記実施形態の構成は、本発明の主旨を逸脱しない範囲であれば、適宜設計変更を行うことができる。
【００６７】
〔効果〕
以上説明した上記実施形態のエンドキャップ５は、以下に示す特徴を有している。上記実施形態のエンドキャップ５は、外壁２の上方に配置される長尺の通気部材３に取り付けられる。エンドキャップ５は、通気部材３の長手方向の端部に接続される接続部６１と、接続部６１から通気部材３とは反対の方向に延出し、貯水可能な貯水部７とを備える。貯水部７は、屋外側に排水可能な排水孔７６を有する。以下、この特徴を有するエンドキャップ５を第１の態様のエンドキャップ５という。
【００６８】
第１の態様のエンドキャップ５によれば、エンドキャップ５の貯水部７に排水孔７６が設けられているため、通気部材３を長手方向のどの位置で切断しても、通気部材３の長手方向の端部の近傍に排水孔７６を配置することができる。このため、通気部材３の長手方向に沿って横走りした雨水が通気部材３の長手方向の端部に大量に滞留するのを抑制できる。
【００６９】
また、上記実施形態のエンドキャップ５は、第１の態様のエンドキャップ５の特徴に加えて、以下に示す付加的な特徴を有する。接続部６１は前記通気部材３の屋外側の面に重なる外側部６３を有する。外側部６３は、水抜き孔６６を有する。以下、このエンドキャップ５を第２の態様のエンドキャップ５という。
【００７０】
第２の態様のエンドキャップ５によれば、通気部材３と外側板部との重なった部分に引き込んだ雨水を外部に排出することができる。これにより、通気部材３と外側板部との間に雨水が滞留するのを抑制できる。
【００７１】
また、上記実施形態のエンドキャップ５は、第１又は第２の態様のエンドキャップ５の特徴に加えて、以下に示す付加的な特徴を有する。接続部６１は、前記通気部材３に設けられた小屋裏側開口３５２を覆う覆い片６５を有している。以下、このエンドキャップ５を第３の態様のエンドキャップ５という。
【００７２】
第３の態様のエンドキャップ５によれば、長手方向の端部において、小屋裏側開口３５２を覆うことができるため、貯水部７に集まった雨水が排水孔７６から排出される前に、風に煽られて小屋裏側開口３５２に吹き込むのを防ぐことができる。
【００７３】
また、上記実施形態のエンドキャップ５は、第１〜第３のいずれかの態様のエンドキャップ５の特徴に加えて、以下に示す付加的な特徴を有する。エンドキャップ５は、貯水部７の下方に、壁下地２１に固定される固定片８をさらに備える。固定片８には、固着具挿通孔８１が形成されている。排水孔７６と固着具挿通孔８１とは通気部材３の長手方向にずれている。以下、このエンドキャップ５を第４の態様のエンドキャップ５という。
【００７４】
第４の態様のエンドキャップ５によれば、排水孔７６から排出された雨水が、固定片８に沿って流れた場合に、固着具挿通孔８１に流れ込むのを抑制することができる。なお、上記実施形態では、固定片８が外壁材２２の屋内側に位置するように配置されたが、固定片８が外壁材２２の屋外側に配置される場合や、外壁材２２と通気部材３の本体部３１との間にシーリング４１が設けられない場合に特に効果的である。
【００７５】
また、上記実施形態のエンドキャップ５は、第４の態様のエンドキャップ５の特徴に加えて、以下に示す付加的な特徴を有する。固着具挿通孔８１は、長手方向において、排水孔７６よりも通気部材３側に設けられている。以下、このエンドキャップ５を第５の態様のエンドキャップ５という。
【００７６】
第５の態様のエンドキャップ５によれば、通気部材３がけらば側に配置されて、勾配を有するように設置されても、排水孔７６から排出された雨水が固定片８に沿って流れた場合に、固着具挿通孔８１に流れ込むのを抑制することができる。
【００７７】
以上説明した上記実施形態の外壁構造は、以下に示す特徴を有している。上記実施形態の外壁構造は、外壁２の上方に取り付けられた長尺の通気部材３と、通気部材３の長手方向の端部に取り付けられたエンドキャップ５とを備える。エンドキャップ５は、通気部材３の長手方向の端部に接続される接続部６１と、接続部６１から前記通気部材３とは反対の方向に延出し、貯水可能な貯水部７とを備える。貯水部７は、屋外側に排水可能な排水孔７６を有している。以下、この特徴を有する外壁構造を第１の態様の外壁構造という。
【００７８】
第１の態様の外壁構造によれば、エンドキャップ５の貯水部７に排水孔７６が設けられているため、通気部材３を長手方向のどの位置で切断しても、通気部材３の長手方向の端部の近傍に排水孔７６を配置することができる。このため、通気部材３の長手方向に沿って横走りした雨水が通気部材３の長手方向の端部に大量に滞留するのを抑制できる。
【符号の説明】
【００７９】
２        外壁
３        通気部材
３５２    小屋裏側開口
５        エンドキャップ
６１      接続部
６３      外側部
６５      覆い片
６６      水抜き孔
７        貯水部
７６      排水孔
８        固定片
８１      固着具挿通孔
【図１】
2018188802.tif 000003
【図２】
2018188802.tif 000004
【図３】
2018188802.tif 000005
【図４】
2018188802.tif 000006
【図５】
2018188802.tif 000007